(57)【要約】【課題】レンズフードとして利用できると共にレンズフードの携帯性を損なわずに紛失も防止できる肩当てパットの提供。【解決手段】肩当てパット１は弾性変形可能な材料からなり撮像装置２の携帯時にストラップベルト３の任意な箇所に取り付け可能であると共に撮像装置２の使用時にレンズフードとして撮像装置２に装着される。肩当てパット１は下本体部１０と上本体部１１とからなると共にストラップベルト３から取り外し可能であり、撮像装置２の使用時に、ストラップベルト３から外された下本体部１０と上本体部１１とが円筒体を形成させるように連結され、前記円筒体がレンズフードとして撮像装置２のレンズの前部に着脱自在に装着される。下本体部１０及び上本体部１１には撮像装置２のレンズ鏡筒部２０の溝部２１ａ，２１ｂに各々係止する係止部１０１，１１１が設けられている。【選択図】図１
2007102089.tif 000002
【特許請求の範囲】
【請求項１】
撮像装置を携帯するためのストラップベルトに具備される肩当てパットであって、
前記肩当てパットは弾性変形可能な材料からなり、
前記撮像装置の携帯時に前記撮像装置のストラップベルトの任意な箇所に取り付け可能であると共に、
前記撮像装置の使用時にレンズフードとして前記撮像装置のレンズの前部に着脱自在に装着されること
を特徴とする肩当てパット。
【請求項２】
前記肩当てパットは板状に形成され、この肩当てパットには前記撮像装置のレンズ鏡筒部に係止する係止部が設けられたこと
を特徴とする請求項１記載の肩当てパット。
【請求項３】
前記肩当てパットは、板状に形成された上本体部と板状に形成された下本体部とからなると共に、前記ストラップベルトから取り外し可能であり、
前記撮像装置の使用時に、前記ストラップベルトから外された上本体部と下本体部とが円筒体を形成させるように連結され、前記円筒体がレンズフードとして前記撮像装置のレンズの前部に着脱自在に装着されること
を特徴とする請求項１記載の肩当てパット。
【請求項４】
前記上本体部及び前記下本体部には前記撮像装置のレンズ鏡筒部に係止する係止部が設けられたこと
を特徴とする請求項３記載の肩当てパット。
【請求項５】
前記上本体部及び前記下本体部において、前記ストラップベルトとの接触面には四面を有する凸部が複数整列的に設けられたこと
を特徴とする請求項３記載の肩当てパット。
【請求項６】
前記上本体部及び前記下本体部は略山形の板状に形成されたこと
を特徴とする請求項３記載の肩当てパット。
【発明の詳細な説明】
【技術分野】
【０００１】
本発明は、カメラやビデオカメラ等の撮像装置を携帯するためのストラップベルトに具備された肩当てパットに関し、特に前記撮像装置のレンズフードとして利用できるものに関する。
【背景技術】
【０００２】
野外などの比較的光量の多い環境下で撮影を行う際、ゴースト発生を軽減させるために、レンズフードを撮像装置（例えばカメラ）に装着して撮影を行うことが多い。レンズフードは撮像装置のレンズの前面に取り付けるので、撮像装置本体から突出した形態となり、撮像装置の携帯性を損なってしまう。したがって、通常レンズフードは撮像装置から取り外して撮像装置と別に携帯し、必要なときに取り出して撮像装置に装着して使用することが多い。野外に撮影に行く際は、携帯し忘れや紛失の可能性が高くなってしまうので、レンズフードは常に撮像装置と一緒に携帯しているのが望ましい。
【０００３】
従来のレンズフードを撮像装置と一緒に携帯する手段としては、前記レンズフードを通常と逆の向きにして撮像装置本体に取り付けられるようにしたものがある。しかしながら、この手段は携帯性が多少改善されるものの、その効果は充分でない。また、通常、カメラには携帯用のストラップベルトが取り付けられており、携帯時に肩が痛くならないように、肩に当たる部分に軟らかい素材からなる肩当てパットを装備しているものが多い。ところが、通常のストラップベルトの肩当てパットは肩に当たる部分の緩衝効果と意匠的な効果しか持ち合わせておらず、それ以外の用途に使用することはない。
【０００４】
これらに類似するものとして例えば以下の特許文献に開示されたものがある。
【０００５】
例えば特許文献１に示されたレンズフード６は、図９（ａ）に示されたように、撮像装置のレンズ鏡筒部に着脱自在に取り付けられる本体部６０に設けられた一対のカバー６２を開閉させるための操作部６１を備える。操作部６１はスライド操作されることにより、レンズカバー６２を容易に開閉操作することができるようになっている。
【０００６】
また、例えば特許文献２に示されたレンズフード７は、図９（ｂ）に示されたように、マジックテープ（登録商標）７１を備えた可撓性シートからなるレンズフード７であって、撮像装置のレンズ鏡筒部８０の被写体側外周面に設けられたマジックテープ８１と係合することにより、円筒状のレンズフードを備えたレンズ鏡筒を形成させている。レンズフード７によれば、軽量で携帯性に有利で、異なった径にも対応できるレンズフードを提供できる。
【特許文献１】特開２００５−１７５２３
【特許文献２】特開２０００−１９９９２３
【発明の開示】
【発明が解決しようとする課題】
【０００７】
レンズフード６は、レンズカバー６２の着脱が不要でレンズカバー６２の開閉操作が容易であるが、結局のところ、撮像装置のレンズ鏡筒部に着脱自在なので、携帯し忘れや紛失する場合がある。
【０００８】
軽量で携帯性に有利であるレンズフード７も、撮像装置のレンズ鏡筒部に着脱自在なので、携帯し忘れや紛失する場合がある。また、事前に適切なマジックテープ８１を貼っていないレンズ鏡筒部８０に対してはレンズフード７を取り付けることができないので、レンズフード７を使用する予定のレンズ鏡筒部８０全てに、予めマジックテープ８１を貼っておく必要がある。したがって、マジックテープ８１を貼り忘れたレンズ鏡筒部８０にはレンズフード７を取り付けることができない。また、レンズ鏡筒部８０が他人からの借り物である場合にはマジックテープ８１を貼り付けることができないことがあるので、このときレンズフード７を取り付けることができない。
【０００９】
本発明は、以上の事情に鑑みなされたもので、その目的はレンズフードとして利用できると共にレンズフードの携帯性を損なわずに紛失も防止できる肩当てパットの提供にある。
【課題を解決するための手段】
【００１０】
そこで、本発明の肩当てパットは、撮像装置を携帯するためのストラップベルトに具備される肩当てパットであって、前記肩当てパットは弾性変形可能な材料からなり、前記撮像装置の携帯時に前記撮像装置のストラップベルトの任意な箇所に取り付け可能であると共に、前記撮像装置の使用時にレンズフードとして前記撮像装置のレンズの前部に着脱自在に取り付けられることを特徴とする。
【００１１】
本発明の肩当てパットは弾性変形可能であるので、撮像装置のレンズフードとして利用できる。したがって、携帯性を全く損なわないで常に撮像装置と一緒にレンズフードを持ち運びできる。特に、使用頻度が高くなる野外撮影などにおいて、レンズフードの携帯し忘れや、外出先での紛失などを防止することができる。
【００１２】
前記肩当てパットとしては板状に形成されたものがある。この板状に形成された肩当てパットには前記撮像装置のレンズ鏡筒部に係止する係止部が設けられると、前記肩当てパットが撮像装置のレンズフードとして利用された場合、前記撮像装置から脱離しにくくなる。
【００１３】
前記肩当てパットの他の形態としては、板状に形成された上本体部と板状に形成された下本体部とからなるものがある。この上本体部及び下本体部は前記ストラップベルトから取り外し可能であり、前記撮像装置の使用時に前記ストラップから外される。そして、上本体部と下本体部とが円筒体を形成させるように連結される。前記円筒体はレンズフードとして前記撮像装置のレンズの前部に着脱自在に装着される。前記上本体部及び前記下本体部には前記撮像装置のレンズ鏡筒部に係止する係止部が設けられる。
【００１４】
前記上本体部及び前記下本体部において、前記ストラップベルトとの接触面には四面を有する凸部が複数整列的に設けられると、前記ストラップベルトにおいて前記肩当てパットの最適な位置のずれの防止が可能となると共に、レンズフードとして使用する際に内面反射を減少させ、遮光効果を高めることができる。
【００１５】
前記上本体部及び前記下本体部の他の形態としては、略山形の板状に形成されたものがある。この形状に形成された上本体部と下本体部からなる肩当てパットは花形レンズフードとして利用できる。
【発明の効果】
【００１６】
本発明の肩当てパットによれば、レンズフードとして利用できると共にレンズフードの携帯性を損なわずに紛失も防止できる肩当てパットを提供できる。
【発明を実施するための最良の形態】
【００１７】
以下、図面を参照しながら本発明の実施の形態について説明する。
【００１８】
図１は本発明の一実施形態に係る肩当てパットが取り付けられたストラップベルトを具備したカメラの斜視図である。図２（ａ）は前記肩当てパットの分解構成図である。図２（ｂ）はストラップベルトに前記肩当てパットが取り付けられた状態を示した斜視図である。図３は前記肩当てパットをレンズフードの形態に変形させた状態を示した斜視図である。
【００１９】
図１に示された肩当てパット１は、カメラ（デジタルスチルカメラを含む）やビデオカメラ等に例示される撮像装置２を携帯する者の肩があてがわれるパットであって、撮像装置２に具備されたストラップベルト３に取付けられる。
【００２０】
肩当てパット１は、図２（ａ）に示されたように、下本体部１０と上本体部１１とから構成されている。下本体部１０及び上本体部１１はエラストマーなどの弾性変形可能な材料でそれぞれ長方形の主面を有する板状に形成されている。前記材料としては例えば既知のストラップベルトに具備されている肩当てパットの材料として用いられている既知のエラストマーが採用される。下本体部１０及び上本体部１１の幅寸法は、ストラップベルト３の寸法、肩当てパット１の美的外観、及びレンズフードとして利用される場合の遮光効果等が考慮されて決められる。
【００２１】
下本体部１０には、下本体部１０と上本体部１１が四隅部分で結合できるように、連結軸１２ａ〜１２ｄが形成されている。そして、上本体部１１には各々の連結軸１２ａ〜１２ｄと嵌合する連結孔１３ａ〜１３ｄが形成されている。
【００２２】
連結軸１２ａ〜１２ｄは図２（ａ）に示したようにストラップベルト３が当接する面の各コーナー付近に設けられた連結部１６ａ〜１６ｄの外側面に各々形成されている。
【００２３】
連結孔１３ａ，１３ｂは図２（ａ）に示したように上本体部１１の長辺側の端面に設けられた連結部１７ａのそれぞれ下方に突出している両端部に形成されている。一方、連結孔１３ｃ，１３ｄは連結部１７ｂ，１７ｃに各々形成されている。連結部１７ｂ，１７ｃは、連結孔１３ｃ，１３ｄが連結軸１２ｃ，１２ｄと各々嵌合できるように、上本体部１１の底面部のコーナー付近において下方に突出するように設けられている。
【００２４】
また、下本体部１０には、肩当てパット１が図３に示されたような略円筒体を形成できるように、凹部１４ａ，１４ｂが形成されると共に、上本体部１１には各々の凹部１４ａ，１４ｂと嵌合する凸部１５ａ，１５ｂが形成されている。
【００２５】
凹部１４ａ，１４ｂは図２（ａ）に示したように下本体部１０の短辺側の各端面の中央部に形成されている。一方、凸部１５ａ，１５ｂは上本体部１１の短辺側の各端面の中央部に形成されている。
【００２６】
さらに、下本体部１０及び上本体部１１においてストラップベルト３と接する面には四面を有する凸部１８が整列的に複数設けられている。これにより、ストラップベルト３における肩当てパット１の最適位置のずれが防止される。
【００２７】
また、下本体部１０の一方の長辺側の端面に設けられたリブ１９の内側面には、係止部１０１が設けられている。係止部１０１は、肩当てパット１が撮像装置２のレンズフードとして用いられる場合、図４に示された撮像装置２のレンズ鏡筒部２０の外周面の前端部近傍に形成された溝部２１ａと係止する。同様に、上本体部１１においても、撮像装置２のレンズ鏡筒部２０の溝部２１ａと１８０°異なる位置に形成された溝部２１ｂに係止する係止部１１１が設けられている。
【００２８】
そして、上本体部１１の外側の主面には図６に示したようにロゴマーク１１０が刻印される場合がある。
【００２９】
円筒形状の従来のレンズフードはロゴマークが刻印される場合、前記刻印を成形するための金型構造が複雑になり、生産コストが高くなる。また、ロゴマークを印刷する場合でも、印刷工程がレンズフードの製造工程から分割されてしまうので、結局的に生産コストが高くなる。
【００３０】
肩当てパット１は弾性変形可能な材料で構成されるので、上本体部１１を平坦な状態にさせたままでロゴマーク１１０を刻印または印刷が可能となる。したがって、ロゴマークを刻印する場合には金型構造が簡素化する。また、印刷する場合には一度の印刷工程で実現可能となる。このように、肩当てパット１の場合、ロゴマーク１１０を低廉に付することができる。そして、撮像装置２が携帯された時や肩当てパット１が撮像装置２のレンズフードとして使用された場合、肩当てパット１はロゴマーク１１０を露出させるので、宣伝効果が高まる。
【００３１】
肩当てパット１の使用方法について説明する。先ず、撮像装置２を持ち運ぶ場合、肩当てパット１はストラップベルト３に装着される。このとき、図２（ｂ）に示されたように、下本体部１０と上本体部１１とがストラップベルト３を挟み込むと共に、下本体部１１の連結軸１２ａ，１２ｂ，１２ｃ，１２ｄが上本体部１１の連結孔１３ａ，１３ｂ，１３ｃ，１３ｄと各々嵌合している状態となっている。そして、この肩当てパット１に撮像装置２を携帯する者の肩があてがわれる。
【００３２】
次いで、肩当てパット１が撮像装置２のレンズフードとして使用される場合、連結軸１２ａと連結孔１３ａの結合、連結軸１２ｂと連結孔１３ｂの結合、連結軸１２ｃと連結孔１３ｃの結合及び連結軸１２ｄと連結孔１３ｄの結合が解除されることにより、図２（ａ）に示されたように、肩当てパット１がストラップベルト３から脱離する。そして、肩当てパット１がストラップベルト３から脱離させた状態で、再び、下本体部１１の連結軸１２ａ，１２ｂ，１２ｃ，１２ｄは上本体部１１の連結孔１３ａ，１３ｂ，１３ｃ，１３ｄと各々嵌合される。次いで、図３に示したようにＤ方向から肩当てパット１に力が付加されると、下本体部１０と上本体部１１とが弾性変形して略円筒体形状の筒体が形成される。このとき凸部１５ａは凹部１４ａと嵌合すると共に凸部１５ｂが凹部１４ｂと嵌合すると、前記筒体の形状が保持されてレンズフードが形成される。
【００３３】
前記レンズフードの形態を成した肩当てパット１は、撮像装置２前面のレンズ鏡筒部２０に装着される際、図４に示したように、係止部１０１，１１１を有する開口部が撮像装置２前面のレンズ鏡筒部２０に向けられる。そして、前記開口部が図４に示した矢印方向に誘導されて、係止部１０１，１１１がレンズ鏡筒部２０の溝部２１ａ，２１ｂに各々係止されると、前記レンズフードの形態を成した肩当てパット１が撮像装置２のレンズ鏡筒部２０に装着される。
【００３４】
このように、肩当てパット１は、弾性変形可能であり、筒状に形成された状態で撮像装置２のレンズ鏡筒部２０に装着されると、撮像装置２に遮光効果を与えることができ、レンズフードとしての役割を果たすことが出来る。特に、図５（ａ）と図５（ｂ）記載の矢印で示された入射光の内面反射の比較から明らかなように、下本体部１０と上本体部１１の面に凸部１８が複数整列的に設けられた場合、入射光の内面反射は凸部１８が設けられていない場合に比べ減少するので、遮光効果がより一層高まる。
【００３５】
肩当てパット１は、図７（ａ）の斜視図に示された花形レンズフードとして利用できるように形成してもよい。すなわち、図７（ｂ）の斜視図に示された肩当てパット４の上本体部１１の主面は略山形の形状に形成される。下本体部１０の主面も上本体部１１の主面と同じ形状に形成される。尚、前記形状の具体的寸法はストラップベルト３の幅寸法、肩当てパット１の美的外観や遮光効果等が考慮されて決められる。
【００３６】
図８（ａ）は本発明の他の一実施形態に係る肩当てパットを具備したストラップベルトの斜視図である。図８（ｂ）は前記肩当てパットをカメラフードとして利用する場合の説明図である。
【００３７】
肩当てパット５は、肩当てパット１よりも形状的に簡素化させて生産コストの優位性を高めたものである。すなわち、図８（ａ）に示されたように、肩当てパット５は肩当てパット１の下本体部１０に相当する本体部５０のみを備える。肩当てパット４０は本体部５０の両端付近に設けられたピン５１によってストラップベルト３から外れないようになっている。本体部５０とピン５１との間隔はストラップベルト３上の肩当てパット５の位置を任意に調節できる程度に確保されている。
【００３８】
また、本体部５０は長辺側の端面には係止部５２が複数設けられている。係止部５２は、肩当てパット５が撮像装置２のレンズフードとして利用される場合、撮像装置２のレンズ鏡筒部２０の縁部に形成された溝部と係止する。
【００３９】
図８（ａ）に示された実施形態では、本体部５０の端面には３つの係止部５２が所定間隔で形成されている。一方、撮像装置２のレンズ鏡筒部２０の縁部には、図８（ｂ）に示したように、係止部５２ａ，５２ｂ及び５２ｃが各々挿入される溝部２２ａ，２２ｂ及び２２ｃが形成されている。本体部５０及び係止部５２は肩当てパット１と同様に弾性変形可能な材料によって構成される。本体部５０及び係止部５２は既知の成形方法によって一体成形される。
【００４０】
肩当てパット５の使用方法について説明する。先ず、撮像装置２が携帯される場合、ストラップベルト３の肩当てパット５に撮像装置２を携帯する者の肩があてがわれる。次いで、肩当てパット５がレンズフードとして利用される場合、図８（ｂ）に示めされたように、本体部４０が断面半円形状に弾性変形された状態で、係止部５２ａ，５２ｂ及び５３ｃが撮像装置２のレンズ鏡筒部２０の溝部２２ａ，２２ｂ及び２２ｃに各々挿入される。この際、本体部５０は弾性回復によって本体部５０の主面が平面になろうとする力が作用し、係止部５２ａ，５２ｂ及び５２ｃは各々の溝部２２ａ，２２ｂ及び２２ｃに挿入された状態で係止される。このように、肩当てパット５は撮像装置２のレンズ鏡筒部２０に装着されてレンズフードとして利用される。
【００４１】
以上の実施形態に基づき説明された肩当てパットは、弾性変形可能であるので、撮像装置を携帯するためのストラップベルトの肩当てパットとして利用できると共に、前記撮像装置のレンズフードとして利用できる。特に、その使用頻度が高くなる野外撮影などにおいて、レンズフードの携帯し忘れや、外出先での紛失などを防止することができるので、その効果は非常に有効である。
【００４２】
また、前記肩当てパットを構成する上本体部と下本体部において、前記ストラップベルトが接触する面に四面を有する凸部が複数整列的に設けられることにより、前記ストラップベルトにおける前記肩当てパットの最適位置のずれが防止される。そして、この肩当てパットがレンズフードとして利用される場合、入射光の内面反射を減少させ、遮光効果を高めることができる。
【００４３】
従来のレンズフードは円筒形状に形成された立体であるので、その表面にロゴマークを付する場合、刻印法では金型構造が複雑になり、印刷法では印刷工程が肩当てパットの製造工程から分割されるので、製造コストが高くつく。
【００４４】
実施形態に係る肩当てパットは前述のように弾性変形可能であるので、平坦な状態でロゴマークの刻印または印刷が可能となる。したがって、低廉にロゴマークを付することができる。そして、このロゴマークが付された肩当てパットは撮像装置の携帯時や前記撮像装置のレンズフードとして利用されたとき、前記ロゴマークを露出させるので、宣伝効果を高めさせることができる。
【００４５】
また、前記肩当てパットの大きさ・形状が予め設定されると、比較的容易にレンズに対して適切な形状のレンズフード、すなわち肩当てパット４に例示されるような花形レンズフードとして利用できる肩当てパットが実現する。さらに、パット構造が大幅に簡素化されると、レンズフード５に例示されるような低廉且つ簡易的な肩当てパットが実現する。
【図面の簡単な説明】
【００４６】
【図１】本発明の一実施形態に係る肩当てパットが取り付けられたストラップベルトを具備したカメラの斜視図である。
【図２】（ａ）は肩当てパットの分解構成図，（ｂ）はストラップベルトに前記肩当てパットが取り付けられた状態を示した斜視図。
【図３】肩当てパットをレンズフードの形態に変形させた状態を示した斜視図。
【図４】肩当てパットが撮像装置のレンズフードとして利用される場合の説明図。
【図５】（ａ）凸部が形成された上本体部及び下本体部の断面図，（ｂ）凸部が形成されていない上本体部及び下本体部の断面図
【図６】ストラップベルトに本発明の一実施形態に係る肩当てパットが取り付けられた状態を示した斜視図。
【図７】（ａ）本発明の一実施形態に係る肩当てパットを花形レンズフードの形態に変形させた状態を示した斜視図，（ｂ）肩当てパットがストラップベルトに取り付けられた状態を示した斜視図。
【図８】（ａ）ストラップベルトに本発明の一実施形態に係る肩当てパットが取り付けられた状態を示した斜視図，（ｂ）肩当てパットが撮像装置のレンズフードとして利用される場合の説明図。
【図９】（ａ）及び（ｂ）従来のレンズフードの一実施形態を示した斜視図。
【符号の説明】
【００４７】
１，４，５…肩当てパット
２…撮像装置
３…ストラップベルト
１０…下本体部
１１…上本体部
１２ａ〜１２ｄ…連結軸
１３ａ〜１３ｄ…連結孔
１４ａ，１４ｂ…凹部
１５ａ，１５ｂ，１８…凸部
１６ａ〜１６ｄ，１７ａ〜１７ｃ…連結部
１９…リブ
１０１，１１１…係止部
１１０…ロゴマーク
２０…レンズ鏡筒部
２１ａ，２１ｂ，２２ａ〜２２ｃ…溝部
５０…本体部
５１…ピン
５２ａ，５２ｂ，５２ｃ…係止部
【図１】
2007102089.tif 000003
【図２】
2007102089.tif 000004
【図３】
2007102089.tif 000005
【図４】
2007102089.tif 000006
【図５】
2007102089.tif 000007
【図６】
2007102089.tif 000008
【図７】
2007102089.tif 000009
【図８】
2007102089.tif 000010
【図９】
2007102089.tif 000011